(57)【特許請求の範囲】
【請求項１】
携帯電話機等のケースに形成されたカード装着部に取り出し可能に取り付けられるカードをカードロックにより保持するカード保持装置において、
前記カードロックは、前記カード装着部に挿入して装着される前記カードの後方に配置されるスライド式に構成され且つスライド方向の異なる位置に位置決め突起が形成され前記カードをロック位置およびリリース位置に固定可能であり、前記ロック位置に挿入固定された前記カードを前記挿入方向と反対方向へ移動させると、前記カードロックを前記リリース位置へ移動可能であることを特徴とするカード保持装置。
【請求項２】
前記カードロックは前記スライド方向に延びる複数の突起状のガイドを有し、該ガイドは前記カード装着部に形成されたガイド挿入孔に挿入保持されることを特徴とする請求項１に記載のカード保持装置。
【請求項３】
前記カード装着部には、前記ロック位置の前記カードの後端部近傍に形成された傾斜部を有し、前記反対方向へ移動される前記カードの後端部と当接して前記カード装着部から持ち上げることを特徴とする請求項１又は２に記載のカード保持装置。
【請求項４】
ユーザを識別するＳＩＭカードおよび駆動電力を供給するバッテリをケース内に取り外し自在に内蔵する携帯電話機において、
前記ケースに形成された開口部のカード装着用凹部に設けられたカードコネクタに挿入して装着される前記ＳＩＭカードの後方に配置され、前記装着されたＳＩＭカードの後端部に前端部を当接させて保持するスライド式のカードロックを備え、
該カードロックは、ロック位置およびリリース位置へ固定可能にする位置決め突起を有し、前記ＳＩＭカードを前記挿入方向と反対方向へ移動させると前記リリース位置へ移動し、
前記バッテリは、前記ＳＩＭカードおよび前記カードロック上に配置され、裏面に形成されたカードロックストッパにより前記カードロックを前記ロック位置に保持することを特徴とする携帯電話機。
【請求項５】
前記カードロックは、弾性部材により一方向にバイアスされていることを特徴とする請求項４に記載の携帯電話機。
【請求項６】
前記カード装着用凹部には、装着された前記ＳＩＭカードの後端部近傍に形成された傾斜部を有し、前記ＳＩＭカードを取り外すため前記カードロックを前記リリース位置へ移動するとき前記ＳＩＭカードの後端部と当接して前記ＳＩＭカードを持ち上げることを特徴とする請求項４又は５に記載の携帯電話機。
【発明の詳細な説明】
【０００１】
【発明の属する技術分野】
本発明はカード保持装置およびそれを使用する携帯端末機に関し、特に携帯電話機等の携帯端末機のＳＩＭ（Subscriber Identification Module:加入者識別モジュール）カードの保持装置に関する。
【０００２】
【従来の技術】
携帯電話機やＰＨＳ(Personal Handy-phone System)端末等の携帯端末機は、その利便性の故に急速に普及し、今や生活の必需品となりつつある。携帯端末機には、ＳＩＭカードが差し込まれている。このＳＩＭカードは、電話番号等を登録するためのＩＣチップを内蔵するカードである。携帯端末機の電話番号や利用者ＩＤは、内蔵メモリに書き込まれているので、簡単には変更できない。しかし、ＳＩＭカードを差し替えることにより、どの携帯端末機でも自己のものとして使用可能である。従って、ＳＩＭカードを持っていれば、例え携帯端末機を持っていなくても又は自己の携帯端末機が故障、紛失又は電池切れしていても、他人の携帯端末機を借用し、ＳＩＭカードを差し替えることにより自己の携帯端末機と同様に使用することが可能になる。
【０００３】
斯かるＳＩＭカード保持装置およびそれを使用する携帯端末機に関する従来技術は、例えば特開２００１-２４４００４号公報の「カード保持構造およびそれを備えた携帯端末機」、特開２０００-４９９１７号公報の「携帯電話機」、特開２０００-２５３１１９号公報の「ＩＣカードを備えた携帯電話機用バッテリ」、特開平１１-１５５００４号公報の「データカードハウジング」および特開平１１-２６６２９３号公報の「携帯電話機」等に開示されている。
【０００４】
図１３は、上述した第１の従来技術に開示されるカード（ＳＩＭカード）保持構造の平面図である。この従来のカード保持構造は、携帯電話機の裏面ケース２５内に設けられたカード装着用凹部２６に固定されたカードコネクタ２７にカード（図示せず）をスライドさせて装着し保持する。カードコネクタ２７におけるカードスライド方向の前部を保持し、裏面ケース２５のカバー兼バッテリの内壁面によりカードの後部を持する。また、カード装着用凹部２６の底面に一端が固定された矩形の弾性片からなるケース側ストッパ２８を設けている。更に、カードのスライド方向の両側には、保持部２９が設けられ、カードコネクタ２７にスライドされるカードをガイドすると共に保持する。
【０００５】
【発明が解決しようとする課題】
しかし、上述の如き従来技術には次のような幾つかの課題があった。第１に、ＳＩＭカードの取出しが容易でない。その理由は、カード装着用凹部に一端が固定された弾性片からなるケース側ストッパを設けているため、カード取り出し時にこのカード側ストッパを押し下げ水平になるまで撓ませながらカードを後方へスライドさせるため、両手を使用する必要があるためである。第２に、ＳＩＭカードの誤挿入が検出できない。その理由は、カード装着用凹部の平坦部がＳＩＭカードの外形（又は幅）以上であるため、予めＳＩＭカードに設けられているカード方向検出用の切り欠きが利用できないからである。
【０００６】
第３に、ＳＩＭカードの破損が生じる危険性がある。その理由は、カバー兼バッテリを取り付けるまでＳＩＭカードの誤挿入が検出できないからである。ＳＩＭカードに設けられているカード方向検出用の切り欠き領域に、バッテリ側ストッパを設けることでＳＩＭカードの誤挿入を検出している。しかし、携帯電話機の使用者（ユーザ）は、バッテリ側ストッパとＳＩＭカードが衝突している状態が確認できない。ＳＩＭカードの誤挿入を認識していない携帯電話機の使用者は、無理にバッテリを取り付けようとして、必要以上の力をＳＩＭカードにかけることとなり、破損を生じる。
【０００７】
【発明の目的】
本発明は、従来技術の上述した課題に鑑みなされたものであり、これら課題を解決又は軽減するカード保持装置およびそれを備える携帯端末機を提供することを目的とする。
【０００８】
【課題解決のための手段】
前述の課題を解決するため、本発明によるカード保持装置およびそれを備える携帯端末機は次のような特徴的な構成を採用している。
【０００９】
（１）携帯電話機等のケースに形成されたカード装着部に取り出し可能に取り付けられるカードをカードロックにより保持するカード保持装置において、
前記カードロックは、前記カード装着部に挿入して装着される前記カードの後方に配置されるスライド式に構成され且つスライド方向の異なる位置に位置決め突起が形成され前記カードをロック位置およびリリース位置に固定可能であり、前記ロック位置に挿入固定された前記カードを前記挿入方向と反対方向へ移動させると、前記カードロックを前記リリース位置へ移動可能であるカード保持装置。
【００１０】
（２）前記カードロックは前記スライド方向に延びる複数の突起状のガイドを有し、該ガイドは前記カード装着部に形成されたガイド挿入孔に挿入保持される上記（１）のカード保持装置。
【００１１】
（３）前記カード装着部には、前記ロック位置の前記カードの後端部近傍に形成された傾斜部を有し、前記反対方向へ移動される前記カードの後端部と当接して前記カード装着部から持ち上げる上記（１）又は（２）のカード保持装置。
【００１２】
（４）ユーザを識別するＳＩＭカードおよび駆動電力を供給するバッテリをケース内に取り外し自在に内蔵する携帯電話機において、
前記ケースに形成された開口部のカード装着用凹部に設けられたカードコネクタに挿入して装着される前記ＳＩＭカードの後方に配置され、前記装着されたＳＩＭカードの後端部に前端部を当接させて保持するスライド式のカードロックを備え、
該カードロックは、ロック位置およびリリース位置へ固定可能にする位置決め突起を有し、前記ＳＩＭカードを前記挿入方向と反対方向へ移動させると前記リリース位置へ移動し、
前記バッテリは、前記ＳＩＭカードおよび前記カードロック上に配置され、裏面に形成されたカードロックストッパにより前記カードロックを前記ロック位置に保持する携帯電話機。
【００１３】
（５）前記カードロックは、弾性部材により一方向にバイアスされている上記（４）の携帯電話機。
【００１４】
（６）前記カード装着用凹部には、装着された前記ＳＩＭカードの後端部近傍に形成された傾斜部を有し、前記ＳＩＭカードを取り外すため前記カードロックを前記リリース位置へ移動するとき前記ＳＩＭカードの後端部と当接して前記ＳＩＭカードを持ち上げる上記（４）又は（５）の携帯電話機。
【００１９】
【発明の実施の形態】
以下、本発明によるカード保持装置およびそれを備える携帯端末機の好適実施形態の構成および動作を、添付図面を参照して詳細に説明する。
【００２０】
先ず、図１は、本発明による携帯端末機の好適実施形態の構成図である。図１は、携帯端末機の裏面側ケース１を示している。この裏面側ケース１には、上部から中央部にわたって、バッテリを取り付けるための開口部２が形成されている。開口部２には、カード（ＳＩＭカード）を装着するためのカード装着用凹部３が設けられている。このカード装着用凹部３は、裏面側ケース１の長手方向にカードを装着可能なように、裏面側ケース１の内部表面に設けられている。カード装着用凹部３における上方部には、貫通孔４が形成されており、そこから露出するプリント基板５にカードコネクタ６が固定されている。カード装着用凹部３における下方部には、図２以下を参照して後述する如く、装着されたカードを固定するスライド式のカードロック７が設けられている。また、この携帯端末機は、周知の如く、送受信用のアンテナＡが設けられている。
【００２１】
次に、図２は、図１に示す携帯端末機の要部であるカード保持装置、特にカードコネクタ６およびカードロック７の平面図である。図２に示す如く、カードコネクタ６は、カードコネクタベース部８および保持部９により構成されている。１対の保持部９は、カードコネクタベース部８の左右に設けられている。これら保持部９は、例えば金属板を折り曲げ、その一端をベースに固定して形成され、その弾力により装着されたカードの接触部の両端を保持する。
【００２２】
図３は、図１および図２に示すカードロック７の斜め上方向から見た拡大斜視図である。図３に示す如く、カードロック７には誤挿入検出突起１０が設置されており、カードロック７の端面にはカードロック側傾斜部（テーパ）１１が形成されている。
【００２３】
一方、図４は、図３に示すカードロック７の下方向から見た斜視図である。図４に示す如く、カードロック７の下方には離間した１対のガイド１２および２個の位置決め突起１３が形成されている。これらガイド１２には、それぞれ側方へ突出した取付用の嵌合爪１４が形成されている。
【００２４】
次に、図５は、図２に示す状態からカードロック７を取り外した平面図である。図５に示す如く、携帯端末機のカード装着用凹部３の中央に、カード装着用凹部側傾斜部（テーパ）１５が設けられている。カード装着用凹部３の中央から下方向に２個のガイド挿入孔１６が形成されている。また、カード装着用凹部３の下方には２個のロック保持孔１７および２個のリリース保持孔１８が、上述したカードロック７の１対の位置決め突起１３に対応して形成されている。
【００２５】
ここで、カードロック７は、ガイド１２をガイド挿入孔１６に挿入することにより嵌合爪１４が、その弾性により撓む。カードロック７を更に押圧すると、嵌合爪１４は、ガイド挿入孔１６の裏面に潜り込み、カードロック７をカード装着用凹部３に取り付けられる。これにより、カードロック７は、カード装着方向に対して前後方向（図１における上下方向）のみに移動可能である。また、位置決め突起１３を、ロック保持孔１７およびリリース保持孔１８に保持されることにより、カードロック７の前後方向への動きは、カードをロックした状態又はリリースした状態の２個の明確な位置をとることが可能になる。

【００２６】
次に、図６は、携帯端末機の開口部２に取り付けるバッテリ１９の裏側から見た拡大斜視図である。図６に示す如く、バッテリ１９は、全体的に薄い略直方体である。このバッテリ１９の裏面には、１対のカードロックストッパ２０が設けられている。このカードロックストッパ２０は、略長方形の平面形状を有し、カード装着用凹部３に対向するようにバッテリ１９に突設されている。
【００２７】
次に、以上の如く構成された携帯端末機におけるカードの取り付けまたは挿入動作を、図７〜図９の側面図（又は側断面図）を参照して説明する。先ず、図７に示す如く、カード（ＳＩＭカード）２１の先端を左右１対の保持部９に位置合わせすると共に、カード２１をカード装着用凹部３に設置する。次に、カード２１を図７の右方向へスライドさせる。そして、図８に示す如く、カード２１の先端が保持部９の下を通り抜け、所定の位置で停止させる。
【００２８】
その後、カードロック７を図８の右方向にスライドさせ、図９の状態になる。これによって、カード２１の接触部（コンタクト）２２は、保持部９により適度な力で押しつけられる。その結果、カードコネクタ６の接触部（コンタクト又は接触片）２３とカード２１の接触部２２との良好な電気的接触状態が維持される。また、カードロック７の前端がカード２１の後端に当接することにより、カード２１が左方向へ抜ける（又は移動する）のを防止する。
【００２９】
上述した状態で、カードコネクタ６、このカードコネクタ６に挿入されたカード２１およびこのカードを固定するカードロック７の上部にバッテリ１９が取り付けられる。すると、バッテリ１９の裏面に形成されたカードロックストッパ２０は、カード装着用凹部３にカードロック７の図９における左位置で設置され、カードロック７が落下等の衝撃により図９における左方向へ移動することを確実に防止する。
【００３０】
次に、カード２１の取出し動作を、図１０および図１１を参照して説明する。先ず、バッテリ１９を取り外す。次に、カード２１を図中の左方向へスライドさせることにより、カードロック７に形成されているガイド１２を押し出すため、図１０に示す如くカード２１およびカードロック７が同時に移動する。その後、カード装着用凹部３に形成されたカード装着用凹部傾斜部１５とカードロック７に形成されたカードロック側傾斜部１１により、カード２１の後端部は、図１１に示す如くカード装着用凹部３から持ち上がるので、ユーザが指で掴むことにより容易に取り出すことが可能である。
【００３１】
次に、図１２の側断面図を参照して、本発明によるカード保持装置の第２実施形態を説明する。尚、上述した好適実施形態の構成要素に対応する構成要素には、説明の便宜上、同様の参照符号を使用することとする。この第２実施形態では、カードロック７の端部にスプリング（コイルスプリング、トーションスプリング等）２４を設ける。これにより、一度カードコネクタ６に挿入されたＳＩＭカード２１は、自動的にロック状態に保持される。従って、カード２１をロックしない状態でバッテリ１９を取り付けるために生じ得るカードロックの破損を防止することが可能である。
【００３２】
以上、本発明によるカード保持装置およびそれを備える携帯端末機の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００３３】
【効果の説明】
以上の説明から明らかな如く、本発明のカード保持装置およびそれを備える携帯端末機によると、次の如き実用上の顕著な効果が得られる。第１に、ロックを外すことなくＳＩＭカードを取り出すことが可能である。その理由は、カード装着用凹部およびカードロックに傾斜を設けたためである。ＳＩＭカードをスライドさせることにより自動的にＳＩＭカードのロックが解除されるため、ＳＩＭカードのロックを外しながらＳＩＭカードを操作するという動作が不要になる。
【００３４】
第２に、ＳＩＭカードの誤挿入を効果的に防止可能である。その理由は、カードロックに誤挿入検出突起を形成したためである。携帯端末機のユーザがＳＩＭカードを誤挿入しても、カードロックがロック状態にならないため、携帯端末機のユーザは、ＳＩＭカードの誤挿入を容易に認識できるためである。
【００３５】
第３に、ＳＩＭカードの破損を確実に防止可能である。その理由は、カードロックに誤挿入検出突起を形成したためである。カードの誤挿入は、携帯端末機のユーザがバッテリを取り付けることなく認識できるため、カードを誤挿入した状態でバッテリが取り付けられることはなく、ＳＩＭカードに無理な力が加えられることがない。
【図面の簡単な説明】
【図１】本発明によるカード保持装置を備える携帯端末機の好適実施形態の構成図である。
【図２】本発明によるカード保持装置の第１実施形態の平面図である。
【図３】図２中のカードロックの斜め上方向から見た拡大斜視図である。
【図４】図３に示すカードロックの裏面側から見た斜視図である。
【図５】図２に示すカード保持装置から図３および図４に示すカードロックを除いた平面図である。
【図６】本発明の携帯端末機に使用するバッテリの裏面から見た斜視図である。
【図７】本発明によるカード保持装置にカードを装着する最初の工程を示す側断面図である。
【図８】本発明によるカード保持装置にカードを装着した状態を示す側断面図である。
【図９】本発明によるカード保持装置にカードを装着し、カードロックをかけ、更にバッテリを取り付けた本発明の形態端末機の側断面図である。
【図１０】本発明のカード保持装置に装着されたカードを取り出す最初の工程を示す側断面図である。
【図１１】本発明のカード保持装置からカードを取り出している状態を示す側断面図である。
【図１２】本発明によるカード保持装置の他の実施形態の側断面図である。
【図１３】従来のカード保持装置の平面図である。
【符号の説明】
１  携帯端末機の裏面側ケース
２  開口部
３  カード装着用凹部
５  プリント基板
６  カードコネクタ
７  カードロック
８  カードコネクタベース
９  保持部
１０  誤挿入検出突起
１１  カードロック側傾斜部
１２  ガイド
１３  位置決め突起
１４  嵌合爪
１５  カード装着用凹部側傾斜部
１６  ガイド挿入孔
１７  ロック保持孔
１８  リリース保持孔
１９  バッテリ
２０  カードロックストッパ
２１  カード（ＳＩＭカード）
【図１】
0004247702.tif 000002
【図２】
0004247702.tif 000003
【図３】
0004247702.tif 000004
【図４】
0004247702.tif 000005
【図５】
0004247702.tif 000006
【図６】
0004247702.tif 000007
【図７】
0004247702.tif 000008
【図８】
0004247702.tif 000009
【図９】
0004247702.tif 000010
【図１０】
0004247702.tif 000011
【図１１】
0004247702.tif 000012
【図１２】
0004247702.tif 000013
【図１３】
0004247702.tif 000014